(57)【特許請求の範囲】
【請求項１】
並列に配列された複数の鍵と、
前記複数の鍵それぞれに対応して設けられ、当該複数の鍵それぞれの押鍵操作に応じて変位する複数の伝達部材と、
前記複数の鍵それぞれに対応して設けられ、押鍵操作された鍵に対応する前記伝達部材の変位に応じて回転動作することにより、前記押鍵操作されている鍵に対してアクション荷重を付与する複数のハンマー部材と、
前記複数の伝達部材と前記複数のハンマー部材とのいずれか一方に設けられた連動突起部、およびその他方に設けられて前記連動突起部をガイドするガイド部を有し、前記押鍵操作された鍵に対応する前記伝達部材の変位に伴う前記ハンマー部材の回転動作を、前記ガイド部と前記連動突起部との相対的な動作によって制御する複数の連動制御部と、
を備えていることを特徴とする鍵盤装置。
【請求項２】
請求項１に記載の鍵盤装置において、前記連動突起部は前記複数の伝達部材それぞれに設けられ、前記ガイド部は前記複数のハンマー部材それぞれに設けられていることを特徴とする鍵盤装置。
【請求項３】
請求項１に記載の鍵盤装置において、前記連動突起部は前記複数のハンマー部材それぞれに設けられ、前記ガイド部は前記複数の伝達部材それぞれに設けられていることを特徴とする鍵盤装置。
【請求項４】
請求項１〜請求項３のいずれかに記載の鍵盤装置において、前記ガイド部は、前記ハンマー部材の回転中心であるハンマー保持軸と前記連動突起部との相対的な距離の変位に応じた部位に形成され、前記連動突起部と互いに係合するガイド孔が設けられたガイド取付部であることを特徴とする鍵盤装置。
【請求項５】
請求項１〜請求項４のいずれかに記載の鍵盤装置において、前記連動突起部は、棒状の突起本体と、この突起本体の外周に設けられた緩衝部と、を備えていることを特徴とする鍵盤装置。
【請求項６】
請求項５に記載の鍵盤装置において、前記緩衝部は、前記ガイド部のガイド縁部に沿って弾力的に摺動する摺動突起を備えていることを特徴とする鍵盤装置。
【請求項７】
請求項１に記載の鍵盤装置において、前記連動制御部はさらに、
前記複数の伝達部材と前記複数のハンマー部材とのいずれか一方でかつ、前記複数の伝達部材と前記複数のハンマー部材とのいずれか他方に当接する位置にそれぞれ設けられた複数の緩衝部材を備えていることを特徴とする鍵盤装置。
【請求項８】
請求項７に記載の鍵盤装置において、前記緩衝部材と当接する位置には、円弧状の当接部が設けられていることを特徴とする鍵盤装置。
【請求項９】
請求項１〜請求項８のいずれかに記載された鍵盤装置と、
前記鍵盤装置の前記鍵の操作に応じて楽音を発生する音源部と、
を備えていることを特徴とする鍵盤楽器。
【発明の詳細な説明】
【技術分野】
【０００１】
この発明は、ピアノなどの鍵盤楽器に用いられる鍵盤装置およびそれを備えた鍵盤楽器に関する。
【背景技術】
【０００２】
例えば、ピアノなどの鍵盤装置においては、特許文献１に記載されているように、鍵の押鍵操作によって回転するウイペンと、このウイペンの回転動作に応じて駆動されるジャックと、このジャックによって駆動されて弦を打撃するハンマー部材とを備え、これらが複数の鍵それぞれに対応して設けられた構成のものが知られている。
【先行技術文献】
【特許文献】
【０００３】
【特許文献１】特開２００２−２５８８３５号公報
【０００４】
この種の鍵盤装置は、鍵の押鍵操作によるウイペンの回転動作に応じて駆動されたジャックによってハンマー部材が駆動されて弦を打撃した後に、ハンマー部材の動作を制動する制動部材を備え、この制動部材によってハンマー部材が弦を打撃した後に、ハンマー部材の動作を一旦停止させることにより、弦を打撃したハンマー部材の撥ね返りによる弦の２度打ちを防ぐように構成されている。
【発明の概要】
【発明が解決しようとする課題】
【０００５】
しかしながら、このような鍵盤装置では、ハンマー部材が弦を打撃した後に、ハンマー部材の動作を制動部材によって一旦停止させる構成であるから、制動部材の動作タイミングおよび制動部材の動作精度が要求されることになる。このため、この鍵盤装置では、制動部材の構造が複雑になり、その製作および組み立て作業が煩雑になるばかりか、制動部材の設置スペースも必要となるため、楽器全体が大型化するという問題がある。
【０００６】
この発明が解決しようとする課題は、簡単な構造で、小型化を図り、かつハンマー部材の不必要な動作を抑制することができる鍵盤装置およびそれを備えた鍵盤楽器を提供することである。
【課題を解決するための手段】
【０００７】
この発明は、並列に配列された複数の鍵と、これら複数の鍵それぞれに対応して設けられ、当該複数の鍵それぞれの押鍵操作に応じて変位する複数の伝達部材と、前記複数の鍵それぞれに対応して設けられ、押鍵操作された鍵に対応する前記伝達部材の変位に応じて回転動作することにより、前記押鍵操作されている鍵に対してアクション荷重を付与する複数のハンマー部材と、前記複数の伝達部材と前記複数のハンマー部材とのいずれか一方に設けられた連動突起部、およびその他方に設けられて前記連動突起部をガイドするガイド部を有し、前記押鍵操作された鍵に対応する前記伝達部材の変位に伴う前記ハンマー部材の回転動作を、前記ガイド部と前記連動突起部との相対的な動作によって制御する複数の連動制御部と、を備えていることを特徴とする鍵盤装置である。
【発明の効果】
【０００８】
この発明によれば、鍵が押鍵操作されて伝達部材が変位すると、この伝達部材の変位に応じてハンマー部材が連動して鍵にアクション荷重を付与することができ、また連動制御部のガイド部と連動突起部との相対的な動作によって、伝達部材の変位に伴うハンマー部材の回転動作を制御することができる。このため、連動制御部の構造が簡単で、連動制御部をコンパクトに設置できるので、連動制御部の設置スペースを最小限に抑えることができ、これにより装置全体の小型化を図ることができると共に、連動制御部によってハンマー部材の不必要な動作を抑制することができる。
【図面の簡単な説明】
【０００９】
【図１】この発明を電子鍵盤楽器に適用した一実施形態における鍵盤装置を示した平面図である。
【図２】図１に示された鍵盤装置のＡ−Ａ矢視における拡大断面図である。
【図３】図２に示された鍵盤装置において、鍵の上方に配置された伝達部材とハンマー部材とが連動制御部によって連動可能に連結された状態を示した要部の拡大断面図である。
【図４】図３に示された伝達部材および伝達保持部材の各一部を示し、（ａ）はその拡大平面図、（ｂ）はそのＢ−Ｂ矢視における要部の拡大断面図である。
【図５】図３に示された伝達部材および伝達保持部材を示した拡大図である。
【図６】図３に示されたハンマー部材およびハンマー保持部材の各一部を示し、（ａ）はその拡大平面図、（ｂ）はそのＣ−Ｃ矢視における要部の拡大断面図である。
【図７】図３に示されたハンマー部材およびハンマー保持部材を示した拡大図である。
【図８】図３に示された連動制御部を示し、（ａ）はそのＤ−Ｄ矢視における拡大断面図、（ｂ）はその連動突起部を示した拡大側面図、（ｃ）はその連動突起部を分解して示した拡大側面図である。
【図９】図２に示された鍵盤装置において、鍵が押鍵された際の状態を示した要部の拡大断面図である。
【発明を実施するための形態】
【００１０】
以下、図１〜図９を参照して、この発明を電子鍵盤楽器に適用した一実施形態について説明する。
この電子鍵盤楽器は、図１および図２に示すように、鍵盤装置１を備えている。この鍵盤装置１は、楽器ケース（図示せず）内に組み込まれるものである。この鍵盤装置１は、並列に配列された複数の鍵２と、これら複数の鍵２の押鍵操作に応じて各鍵２それぞれにアクション荷重を付与するアクション機構３と、を備えている。
【００１１】
複数の鍵２は、図１および図２に示すように、白鍵２ａおよび黒鍵２ｂを有し、これら白鍵２ａおよび黒鍵２ｂが例えば８８個並列に配列されている。これら複数の鍵２は、その前後方向（図２では左右方向）におけるほぼ中間部がそれぞれバランスピン４ａ、４ｂによって上下方向に回転可能に支持され、この状態でベース板５上に並列に配列されている。
【００１２】
この場合、ベース板５上には、図２に示すように、複数の鍵２の各前端部（図２では右端部）の各下面がそれぞれ接離可能に当接するクッション材６ａ、６ｂが鍵２の配列方向に沿って設けられている。また、このベース板５上には、複数の鍵２の各後端部（図２では左端部）の各下面がそれぞれ接離可能に当接するクッション材７が鍵２の配列方向に沿って設けられている。さらに、このベース板５上には、複数の鍵２がその配列方向に横振れするのを防ぐためのガイドピン８ａ、８ｂがそれぞれ起立して設けられている。
【００１３】
アクション機構３は、図１〜図３に示すように、複数の鍵２の押鍵操作に応じてそれぞれ上下方向に回転する複数の伝達部材１０と、これら複数の伝達部材１０の各回転動作に応じてそれぞれ上下方向に回転して複数の鍵２それぞれにアクション荷重を付与する複数のハンマー部材１１と、を備えている。この場合、複数の鍵２は、複数の伝達部材１０の各重量と複数のハンマー部材１１の各重量とによって、バランスピン４ａ、４ｂを中心に反時計回りに回転し、各鍵２それぞれを初期位置に押し上げて、各鍵２に初期荷重が付与されるように構成されている。
【００１４】
また、このアクション機構３は、図２および図３に示すように、複数の伝達部材１０をそれぞれ回転自在に保持する複数の伝達保持部材１２と、複数のハンマー部材１１をそれぞれ回転自在に保持する複数のハンマー保持部材１３と、を備えている。複数の伝達保持部材１２は、鍵２の配列方向に沿って配置された伝達支持レール１４上に取り付けられている。また、複数のハンマー保持部材１３は、鍵２の配列方向に沿って配置されたハンマー支持レール１５上に取り付けられている。これら伝達支持レール１４およびハンマー支持レール１５は、複数の支持部材１６に支持されて、複数の鍵２の上方に配置されている。
【００１５】
複数の支持部材１６は、図１〜図３に示すように、鍵２の配列方向の全長における予め定められた複数個所にそれぞれ位置した状態で、ベース板５上に起立して取り付けられている。この場合、複数の鍵２は全体で例えば８８個配列されている。これに応じて、複数の支持部材１６は、複数の鍵２の配列方向における両端部と、例えば２０個の鍵２ごとに位置する３箇所の各鍵２間と、の個所に配置されている。すなわち、この実施形態では、支持部材１６が鍵２の配列方向の全長における５箇所に配置されている。
【００１６】
この支持部材１６は、ＡＢＳ樹脂などの硬質の合成樹脂からなり、図２および図３に示すように、ベース板５上に取り付けられる支持部材取付部１６ａと、この支持部材取付部１６ａ上に一体に形成されたブリッジ部１６ｂと、を有している。これにより、支持部材１６は、支持部材取付部１６ａがベース板５上に取り付けられることにより、ブリッジ部１６ｂが鍵２の上方に突出した状態で、複数の鍵２の後部間に配置されるように構成されている。
【００１７】
この場合、ブリッジ部１６ｂの後端下部、つまり支持部材取付部１６ａの後側上部（図２では左側上部）には、図２および図３に示すように、伝達支持レール１４を支持する後側レール支持部１６ｃが設けられている。また、ブリッジ部１６ｂの前側上部（図２では右側上部）には、ハンマー支持レール１５を支持する前側レール支持部１６ｄが設けられている。さらに、ブリッジ部１６ｂの後側上部（図２では左側上部）には、ストッパレール支持部１６ｅが設けられており、ブリッジ部１６ｂの上部には、基板レール支持部１６ｆが設けられている。
【００１８】
伝達支持レール１４は、図２および図３に示すように、断面が矩形状の角筒状に形成され、複数の鍵２の配列方向の全長に亘る長さに形成されている。この伝達支持レール１４は、鍵２の配列方向における所定箇所が複数の支持部材１６の各後側レール支持部１６ｃ上に取り付けられるように構成されている。
【００１９】
この伝達支持レール１４上には、図２および図３に示すように、複数の伝達保持部材１２および複数のストッパ支持部１７が鍵２の配列方向に沿って取り付けられている。この場合、複数のストッパ支持部１７は、金属板からなり、複数の支持部材１６に対応する伝達支持レール１４上の５箇所に、複数の伝達保持部材１２の上方に突出した状態で取り付けられている。
【００２０】
伝達保持部材１２は、ＡＢＳ樹脂などの硬質の合成樹脂からなり、図４（ａ）および図４（ｂ）に示すように、本体板１２ａ上に複数の軸支持部１８が例えば１０個程度の各鍵２に対した状態で鍵２の配列方向に沿って一体に形成されている。この軸支持部１８は、伝達部材１０が回転自在に取り付けられて伝達部材１０の横触れを防ぐように構成されている。
【００２１】
すなわち、軸支持部１８は、図４（ａ）および図４（ｂ）に示すように、一対のガイド壁２０と、これら一対のガイド壁２０間に形成された伝達保持軸２１と、を有している。一対のガイド壁２０は、伝達保持部材１２の本体板１２ａ上の後端部（図４（ａ）では左端部）に、複数の伝達部材１０それぞれと対応して形成されている。
【００２２】
これら一対のガイド壁２０は、図４（ａ）に示すように、伝達部材１０の後述する伝達嵌合部２３を両側から摺動可能に挟んだ状態で、伝達部材１０の伝達嵌合部２３を回転可能にガイドするガイド部を構成している。伝達保持軸２１は、図４および図５に示すように、ほぼ丸棒状をなし、その外周面の両側が切り欠かれていることにより、断面形状が非円形状に形成されている。
【００２３】
また、この伝達保持部材１２は、図２〜図４に示すように、梱包輸送時に伝達部材１０の横触れを規制する規制部１９を有している。この規制部１９は、伝達保持部材１２の本体板１２ａの前部（図４（ａ）では右側部）上に各伝達部材１０と対応して形成された一対の規制壁である。この規制部１９は、伝達部材１０の後側下部を挟んだ状態で、伝達部材１０を回転可能にガイドするほか、梱包輸送時に伝達部材１０の横振れを規制するように構成されている。
【００２４】
伝達部材１０は、ＡＢＳ樹脂などの硬質の合成樹脂からなり、図２〜図５に示すように、鍵２の押鍵操作に応じて上下方向に回転してハンマー部材１１を上下方向に回転させる伝達本体部２２と、この伝達本体部２２に一体に形成されて伝達保持部材１２の伝達保持軸２１に回転自在に取り付けられる伝達嵌合部２３と、を有している。
【００２５】
伝達本体部２２は、図２、図３および図５に示すように、ワッフル形状に形成されている。すなわち、この伝達本体部２２は、図５に示すように、厚みの薄い縦板部２２ａと、この縦板部２２ａの外周部および両側面に格子状に形成された複数のリブ部２２ｂと、を有し、これらがワッフル形状に形成されている。この場合、伝達本体部２２は、縦板部２２ａの形状および複数のリブ部２２ｂの形成密度によって、伝達部材１０の重量が調整されるように構成されている。
【００２６】
伝達嵌合部２３は、図２、図３および図５に示すように、全体が逆Ｃ字形状に形成され、伝達本体部２２の後端部に後方に突出して形成されている。すなわち、この伝達嵌合部２３は、図４（ａ）に示すように、鍵２の配列方向の厚みが軸支持部１８の一対のガイド壁２０間の長さとほぼ同じ長さに形成されて、一対のガイド壁２０間に摺動可能に挿入されるように構成されている。
【００２７】
また、この伝達嵌合部２３は、図５に示すように、その中心部に伝達保持部材１２の伝達保持軸２１が嵌合する嵌合孔２３ａが形成され、この嵌合孔２３ａの周囲における一部、つまり嵌合孔２３ａの周囲における後部に伝達保持軸２１が挿脱可能に挿入される挿入口２３ｂが形成され、この挿入口２３ｂを通して伝達保持軸２１が嵌合孔２３ａに挿入されることにより、伝達保持軸２１に回転可能に取り付けられるように構成されている。
【００２８】
この場合、伝達嵌合部２３は、図５に示すように、挿入口２３ｂを通して伝達保持軸２１が嵌合孔２３ａに挿入される際に、伝達部材１０を伝達保持軸２１の上方に起立させて挿入口２３ｂを伝達保持軸２１の両側が切り欠かれた個所に対応させ、この状態で挿入口２３ｂを伝達保持軸２１に圧入する際に、挿入口２３ｂが伝達保持軸２１で少し押し広げられることにより、伝達保持軸２１が嵌合孔２３ａに挿入されて嵌合するように構成されている。
【００２９】
ところで、伝達部材１０の伝達本体部２２における後側下部には、図２〜図５に示すように、伝達保持部材１２の規制部１９に規制される肉厚の薄い係合部２４が設けられている。この係合部２４は、図４および図５に示すように、伝達本体部２２の後側下部の両側面が切り欠かれている。
【００３０】
このため、係合部２４は、図４および図５に示すように、その厚みが規制部１９の一対の規制壁間とほぼ同じ長さに形成されている。これにより、係合部２４は、規制部１９の一対の規制壁間に挿入されることにより、伝達部材１０を回転可能にガイドするほか、梱包輸送時に伝達部材１０の横振れを規制するように構成されている。
【００３１】
また、この伝達部材１０の伝達本体部２２は、図２〜図５に示すように、その下部が鍵２の上面に向けて突出して形成されている。この伝達本体部２２の下端部には、伝達フェルト２５が設けられている。この伝達フェルト２５は、鍵２の後側上部に設けられたキャプスタン２６が下側から当接するように構成されている。
【００３２】
これにより、伝達部材１０は、図２および図３に示すように、鍵２が押鍵された際に、伝達フェルト２５に下側から当接する鍵２のキャプスタン２６によって押し上げられて、伝達保持軸２１を中心に反時計回りに回転するように構成されている。また、伝達部材１０の伝達本体部２２は、その前端上部が後端上部よりも高く形成され、これにより上辺部が後部下がり（図２では左下がり）に傾斜するように形成されている。
【００３３】
この伝達本体部２２の前端上部における一側部には、図２〜図５に示すように、支持部２２ｃが上方に向けて突出して設けられている。すなわち、この支持部２２ｃは、後述するハンマー部材１１に当接することなく、ハンマー部材１１の側面に沿って上下方向に移動するように構成されている。また、この支持部２２ｃの側面には、後述する連動制御部２７の連動突起部２８が設けられている。
【００３４】
一方、ハンマー支持レール１５は、図１〜図３に示すように、伝達支持レール１４と同様、断面が矩形状の角筒状に形成され、複数の鍵２の配列方向の全長に亘る長さに形成されている。このハンマー支持レール１５は、鍵２の配列方向における所定箇所が複数の支持部材１６の各前側レール支持部１６ｄ上に取り付けられるように構成されている。このハンマー支持レール１５上には、複数のハンマー保持部材１３が鍵２の配列方向に沿って取り付けられている。
【００３５】
ハンマー保持部材１３は、ＡＢＳ樹脂などの硬質の合成樹脂からなり、図６および図７に示すように、上方が開放されたレール状の本体板１３ａの後端部に軸支持部１３ｂが例えば１０個程度の各鍵２に対した状態で鍵２の配列方向に沿って一体に形成されている。この軸支持部１３ｂは、ハンマー部材１１が回転自在に取り付けられて、ハンマー部材１１の横振れを防ぐように構成されている。
【００３６】
すなわち、この軸支持部１３ｂは、図２、図３、図６および図７に示すように、一対のガイド壁３０と、これら一対のガイド壁３０間にそれぞれ形成されたハンマー保持軸３１と、を有している。一対のガイド壁３０は、本体板１３ａの後端部（図６（ｂ）では左端部）に、複数のハンマー部材１１それぞれと対応して形成されている。
【００３７】
これら一対のガイド壁３０は、図６（ａ）および図６（ｂ）に示すように、ハンマー部材１１の後述するハンマー嵌合部３４を両側から摺動可能に挟んだ状態で、ハンマー部材１１のハンマー嵌合部３４を回転可能にガイドするガイド部を構成している。ハンマー保持軸３１は、図６（ｂ）に示すように、ほぼ丸棒状をなし、伝達保持軸２１と同様、その外周面の両側が切り欠かれていることにより、断面形状が非円形状に形成されている。
【００３８】
ハンマー部材１１は、ＡＢＳ樹脂などの硬質の合成樹脂からなり、図６および図７に示すように、ハンマー部３２とハンマーアーム３３とを有し、これらが一体に形成された構成になっている。ハンマー部３２は、杓子形状の縦板部３２ａを有し、その外周部およびその両側面に複数のリブ部３２ｂが形成された構成になっている。この場合、ハンマー部３２は、杓子形状の縦板部３２ａの形状および複数のリブ部３２ｂの形成密度によって、ハンマー部材１１の重量が調整されるように構成されている。
【００３９】
ハンマーアーム３３は、図６および図７に示すように、前後方向の長さが伝達部材１０とほぼ同じ長さの横板部３３ａを有し、その外周部および両側面にリブ部３３ｂが形成された構成になっている。このハンマーアーム３３の前端部（図７では右端部）には、ハンマー保持部材１３に回転自在に取り付けられるハンマー嵌合部３４が形成されている。
【００４０】
このハンマー嵌合部３４は、図７に示すように、伝達嵌合部２３と同様、全体がＣ字形状に形成され、ハンマーアーム３３の前端部に前方に突出して形成されている。すなわち、このハンマー嵌合部３４は、図６（ａ）に示すように、鍵２の配列方向の厚みが一対のガイド壁３０間とほぼ同じ長さに形成されて、一対のガイド壁３０間に摺動可能に挿入されるように構成されている。
【００４１】
また、このハンマー嵌合部３４は、図７に示すように、その中心にハンマー保持部材１３のハンマー保持軸３１が嵌合する嵌合孔３４ａが形成され、この嵌合孔３４ａの周囲における一部、つまり嵌合孔３４ａの周囲における前部にハンマー保持軸３１が挿脱可能に挿入される挿入口３４ｂが形成され、この挿入口３４ｂを通してハンマー保持軸３１が嵌合孔３４ａに挿入されることにより、ハンマー保持軸３１に回転可能に取り付けられるように構成されている。
【００４２】
この場合、ハンマー嵌合部３４は、図７に示すように、挿入口３４ｂを通してハンマー保持軸３１が嵌合孔３４ａに挿入される際に、ハンマー保持部材１をハンマー部材１１の前方（図７では右側）に後部下りに傾けて、挿入口３４ｂをハンマー保持軸３１の両側が切り欠かれた個所に対応させ、この状態で挿入口３４ｂがハンマー保持軸３１に圧入される際に、挿入口３４ｂがハンマー保持軸３１で少し押し広げられることにより、ハンマー保持軸３１が嵌合孔３４ａに挿入されて嵌合するように構成されている。
【００４３】
すなわち、ハンマー保持部材１３は、図３に示すように、ハンマー部材１１が取り付けられる前に、後述する連動制御部２７によって伝達部材１０に連結されていることにより、図７においてハンマー嵌合部３４の挿入口３４ｂをハンマー保持軸３１に対応させるために、ハンマー保持部材１３を後部下りに傾け、この状態でハンマー保持軸３１を嵌合孔３４ａに挿入して嵌合させた後に、ハンマー支持レール１５上に取り付けられるように構成されている。
【００４４】
また、ハンマーアーム３３の前端下部には、図３および図８に示すように、ガイド取付部３３ｃが下方に向けて突出して設けられている。すなわち、このガイド取付部３３ｃは、その側面が伝達部材１０の支持部２２ｃの側面に対面すると共に、下端部が伝達部材１０の伝達本体部２２の上面に対向し、この状態で支持部２２ｃの側面に沿って上下方向に移動するように構成されている。また、このガイド取付部３３ｃには、後述する連動制御部２７の連動突起部２８をガイドするガイド孔２９が設けられている。
【００４５】
また、このハンマーアーム３３は、図２および図３に示すように、その後端下部が下限ストッパ３５に上方から当接することにより、初期位置である下限位置に規制されるように構成されている。すなわち、この下限ストッパ３５は、伝達支持レール１４上に設けられた複数のストッパ支持部１７に支持された下限ストッパレール３６上に取り付けられている。これにより、ハンマー部材１１は、ハンマーアーム３３の後端下部が下限ストッパ３５に上方から当接することにより、後部下がりに傾斜した状態で、初期位置に位置規制されるように構成されている。
【００４６】
また、このハンマーアーム３３は、図９に示すように、その後端上部が上限ストッパ３７に下方から当接することにより、上限位置が規制されるように構成されている。すなわち、この上限ストッパ３７は、複数の支持部材１６の各ストッパレール支持部１６ｅに取り付けられた上限ストッパレール３８の下面に取り付けられている。
【００４７】
これにより、ハンマー部材１１は、図９に示すように、ハンマーアーム３３がハンマー保持部材１３のハンマー保持軸３１を中心に時計回りに回転した際に、ハンマーアーム３３の後端上部が上限ストッパ３７に下方から当接することにより、上限位置が規制されるように構成されている。
【００４８】
さらに、ハンマーアーム３３の前端上部には、図２および図９に示すように、スイッチ押圧部３９が形成されている。このハンマーアーム３３のスイッチ押圧部３９に対応する上方には、スイッチ基板４０が一対の基板支持レール４１によって配置されている。これら一対の基板支持レール４１は、それぞれ断面がＬ字形状に形成された長板であり、鍵２の配列方向の全長に亘る長さに形成されている。
【００４９】
これら一対の基板支持レール４１は、図１〜図３に示すように、その各水平部が複数の支持部材１６の各基板レール支持部１６ｆ上に所定間隔離れた状態で取り付けられている。スイッチ基板４０は、図１に示すように、複数に分割されている。すなわち、この実施形態では、スイッチ基板４０が例えば４つに分割されて２０個程度の各鍵２に対応する長さで、一対の基板支持レール４１上に取り付けられている。
【００５０】
これらスイッチ基板４０の下面には、図２および図９に示すように、ゴムスイッチ４２がそれぞれ設けられている。このゴムスイッチ４２は、鍵２の配列方向に長いゴムシートに逆ドーム状の膨出部４２ａが複数のハンマーアーム３３にそれぞれ対応して形成された構成になっている。この膨出部４２ａの内部には、スイッチ基板４０の下面に設けられた複数の固定接点（図示せず）に接離可能に接触する複数の可動接点４２ｂがハンマーアーム３３の前後方向に沿って設けられている。
【００５１】
これにより、ゴムスイッチ４２は、図９に示すように、ハンマー部材１１がハンマー保持部材１３のハンマー保持軸３１を中心に時計回りに回転して、ハンマーアーム３３のスイッチ押圧部３９によって下側から押圧された際に、逆ドーム状の膨出部４２ａが弾性変形して、複数の可動接点４２ｂが時間間隔を持って順次、複数の固定接点に接触することにより、鍵２の押鍵強さに応じたスイッチ信号を出力するように構成されている。そして、このスイッチ信号は音源部（図示せず）に供給され、押鍵強さに応じた楽音が生成される。
【００５２】
ところで、連動制御部２７は、図２および図３に示すように、伝達部材１０の支持部２２ｃに設けられた連動突起部２８と、ハンマー部材１１のガイド取付部３３ｃに設けられて連動突起部２８をガイドするガイド孔２９と、を有している。これにより、連動制御部２７は、押鍵操作された鍵２に対応する伝達部材１０の回転動作に伴うハンマー部材１１の回転動作を、ガイド孔２９に対する連動突起部２８の相対的な動作によって制御するように構成されている。
【００５３】
すなわち、連動制御部２７の連動突起部２８は、図５および図８に示すように、棒状の突起本体２８ａと、この突起本体２８ａの外周に設けられた円筒状の緩衝部２８ｂと、を備えている。突起本体２８ａは、図８（ａ）〜図８（ｃ）に示すように、丸棒状に形成されている。
【００５４】
この突起本体２８ａは、図３および図５に示すように、伝達部材１０の伝達本体部２２に設けられた支持部２２ｃの前端上部に、伝達本体部２２の上面からハンマーアーム３３に向けて所定間隔離れた状態で、鍵２の配列方向に向けて突出して一体に形成され、ハンマー部材１１のガイド取付部３３ｃに設けられたガイド孔２９に移動可能に挿入するように構成されている。この突起本体２８ａは、その先端外周にフック部２８ｃが環状に形成されている。
【００５５】
緩衝部２８ｂは、ウレタン樹脂、シリコーン樹脂などの弾力性を有する合成樹脂からなり、図８（ａ）〜図８（ｃ）に示すように、ほぼ円筒状に形成されている。この緩衝部２８ｂは、その内径が突起本体２８ａの外径とほぼ同じ大きさで、かつその軸方向の長さが突起本体２８ａの軸方向の長さ、つまり支持部２２ｃとフック部２８ｃとの間の長さと同じ長さに形成されている。
【００５６】
また、この緩衝部２８ｂの一端部には、図８（ａ）〜図８（ｃ）に示すように、支持部２２ｃに当接する摺動突起２８ｄが鍔状に形成されている。これにより、緩衝部２８ｂは、突起本体２８ａの外周に装着された際に、鍔状の摺動突起２８ｄが支持部２２ｃに当接し、反対側に位置する端部が突起本体２８ａのフック部２８ｃに当接することにより、支持部２２ｃとフック部２８ｃとの間に挟まれた状態で、突起本体２８ａに取り付けられるように構成されている。
【００５７】
この場合、伝達部材１０の支持部２２ｃとこれに隣接する伝達部材１０の連動突起部２８のフック部２８ｃとの間の間隔Ｓ１は、図６（ａ）に示すように、ハンマー部材１１の配列方向におけるハンマーアーム３３の長さ（幅Ｓ２）の半分以下の長さに設定されている。すなわち、互いに隣接するハンマーアーム３３は、支持部２２ｃと連動突起部２８のフック部２８ｃとの間隔Ｓ１が隣接するハンマーアーム３３間に２つ存在し、これら２つの間隔Ｓ１がハンマーアーム３３の幅Ｓ２よりも小さく設定されている。
【００５８】
これにより、ハンマー部材１１は、図６（ａ）および図６（ｂ）に示すように、ハンマーアーム３３のハンマー嵌合部３４がハンマー保持部材１３のハンマー保持軸３１に回転可能に取り付けられると、支持部２２ｃと連動突起部２８のフック部２８ｃとの間隔Ｓ１がハンマーアーム３３の幅Ｓ２の半分以下の長さであるから、互いに隣接するハンマー部材１１によってハンマー保持部材１３から脱落しないように構成されている。
【００５９】
一方、連動制御部２７のガイド孔２９は、図３、図８（ａ）および図９に示すように、連動突起部２８が移動可能に挿入する長孔であり、ハンマー部材１１のハンマーアーム３３の前端下部に設けられたガイド取付部３３ｃに設けられている。このガイド孔２９は、伝達部材１０が伝達保持軸２１を中心に回転動作し、かつハンマー部材１１がハンマー保持軸３１を中心に回転動作する際における、連動突起部２８の相対的な動作軌跡（つまり移動軌跡）に沿って長く形成された長孔である。
【００６０】
すなわち、このガイド孔２９は、図３、図８（ａ）および図９に示すように、その長手方向の中心線が、後下がり（図３では左下がり）に傾斜して設けられている。また、このガイド孔２９は、その長手方向と直交する方向の長さ（孔幅）が、連動突起部２８の外径つまり緩衝部２８ｂの外径とほぼ同じ大きさで、その長手方向の長さが連動突起部２８の外径の１．５倍〜２倍程度の長さに形成されている。
【００６１】
この場合、ガイド孔２９は、図３、図８（ａ）および図９に示すように、その内部に連動突起部２８が挿入された状態で移動する際に、ガイド孔２９の内周面に連動突起部２８の緩衝部２８ｂが弾力的に接触して移動すると共に、ガイド孔２９の側縁部つまりハンマー部材１１のガイド取付部３３ｃの側面に緩衝部２８ｂの摺動突起２９ｄが弾力的に接触して摺動することにより、ハンマー部材１１のガイド取付部３３ｃが伝達部材１０の支持部２２ｃに直接接触しないように構成されている。
【００６２】
これにより、連動制御部２７は、図３および図９に示すように、押鍵操作された鍵２に対応する伝達部材１０が回転動作し、この伝達部材１０の回転動作に伴ってハンマー部材１１を連動させて回転動作させる際に、そのハンマー部材１１の回転動作を、ガイド孔２９に対する連動突起部２８の相対的な動作によって制御するように構成されている。
【００６３】
すなわち、この連動制御部２７は、図３に示すように、鍵２が押鍵操作されて伝達部材１０が伝達保持軸２１を中心に反時計回りに回転する際に、伝達部材１０の回転に伴って連動突起部２８がガイド孔２９の前端上部に接近または当接した状態でガイド孔２９と共に上方に向けて移動することにより、ハンマー保持軸３１を中心にハンマー部材１１が時計回りに回転するように構成されている。
【００６４】
また、この連動制御部２７は、図９に示すように、ハンマー部材１１が押し上げられる際に、連動突起部２８がガイド孔２９に沿って移動可能な状態になることにより、伝達部材１０の回転速度とハンマー部材１１の回転速度とが同じであっても、また異なっても、伝達部材１０とハンマー部材１１とを連動させて回転動作させるように構成されている。
【００６５】
また、この連動制御部２７は、図９に示すように、押鍵操作された鍵２が初期位置に戻る際に、連動突起部２８がガイド孔２９に対して相対的に移動可能な状態であることにより、伝達部材１０がその自重によって伝達保持軸２１を中心に時計回りに回転すると共に、ハンマー部材１１がその自重によってハンマー保持軸３１を中心に反時計回りに回転するように構成されている。
【００６６】
さらに、この連動制御部２７は、図３に示すように、伝達部材１０およびハンマー部材１１が初期位置に戻った際に、連動突起部２８がガイド孔２９の前端上部に向けて移動することにより、連動突起部２８がガイド孔２９の前端上部に当接または接近するように構成されている。
【００６７】
ところで、複数の伝達部材１０の各伝達本体部２２の上面それぞれには、図３、図５および図９に示すように、緩衝部材４５が設けられている。この緩衝部材４５は、フェルトなどの弾力性を有するシートであり、連動突起部２８の下側に位置する伝達本体部２２の上面に設けられている。一方、複数のハンマー部材１１それぞれには、図３、図７および図９に示すように、緩衝部材４５に弾接する当接部４６が設けられている。この当接部４６は、ハンマーアーム３３の下部に設けられたガイド取付部３３ｃに設けられている。
【００６８】
すなわち、この当接部４６は、図３、図７および図９に示すように、緩衝部材４５に対応するガイド取付部３３ｃの下端部に円弧状に突出して設けられている。これにより、当接部４６は、鍵２が押鍵操作されて伝達部材１０が押し上げられ、この押し上げられた伝達部材１０によってハンマー部材１１が押し上げられる際に、緩衝部材４５に弾接した状態で摺動するように構成されている。
【００６９】
また、この当接部４６は、図９に示すように、ハンマーアーム３３のスイッチ押圧部３９がスイッチ基板４０のゴムスイッチ４２を押圧してハンマー部材１１が上限ストッパ３７に当接した際に、緩衝部材４５に弾力的に食い込んだ状態で圧接摺動するが、連動突起部２８の緩衝部２８ｂの弾力によって緩衝部材４５に対する当接部４６の食い込み力および摩擦力が軽減されるように構成されている。
【００７０】
次に、このような電子鍵盤楽器の鍵盤装置１の作用について説明する。
この鍵盤装置１では、鍵２を押鍵操作して演奏をする。このときには、鍵２が押鍵されると、鍵２がバランスピン４ａ、４ｂを中心に図３において時計回りに回転し、鍵２のキャプスタン２６が伝達部材１０を押し上げる。これにより、伝達部材１０が伝達保持部材１２の伝達保持軸２１を中心に図３において反時計回りに回転する。
【００７１】
すると、伝達部材１０の緩衝部材４５がハンマー部材１１のガイド取付部３３ｃの当接部４６を押し上げる。これにより、伝達部材１０の回転動作がハンマー部材１１に伝達され、ハンマー部材１１が押上げられる。このときには、伝達部材１０の回転に伴って支持部２２ｃの連動突起部２８がガイド取付部３３ｃのガイド孔２９の前端上部に接近または当接した状態で、ガイド孔２９と共に上方に移動する。これにより、ハンマー部材１１がハンマー保持部材１３のハンマー保持軸３１を中心に図３において時計回りに回転して、鍵２にアクション荷重を付与する。
【００７２】
すなわち、ハンマー部材１１がハンマー保持軸３１を中心に図３において時計回りに回転する際には、ハンマー部材１１の慣性モーメントによって鍵２にアクション荷重が付与される。この場合、ハンマーアーム３３は、図３および図９に示すように、鍵２の前後方向の長さが伝達部材１０とほぼ同じ長さに形成され、このハンマーアーム３３の後端部にハンマー部３２が形成されている。
【００７３】
この状態で、ハンマーアーム３３のハンマー嵌合部３４がハンマー保持軸３１に回転可能に取り付けられているので、ハンマー部材１１がハンマー保持軸３１を中心に時計回りに回転する際には、ハンマー部材１１に慣性モーメントが発生する。この慣性モーメントによる負荷がハンマー部材１１のガイド取付部３３ｃおよび伝達部材１０を介して鍵２にアクション荷重として付与される。これにより、アコースティックピアノの鍵タッチ感に近似した鍵タッチ感が得られる。
【００７４】
このようにハンマー部材１１がハンマー保持軸３１を中心に時計回りに回転すると、図９に示すように、ハンマーアーム３３のスイッチ押圧部３９がスイッチ基板４０に設けられたゴムスイッチ４２の逆ドーム状の膨出部４２ａを下側から押圧する。このときには、逆ドーム状の膨出部４２ａが弾性変形して、膨出部４２ａ内の複数の可動接点４２ｂが時間間隔を持って順次、複数の固定接点に接触する。これにより、押鍵された鍵２に応じたスイッチ信号を出力し、スピーカ（図示せず）から楽音を発生する。
【００７５】
そして、ハンマー部材１１がハンマー保持軸３１を中心に更に時計回りに回転すると、ハンマーアーム３３の後端上部が上限ストッパ３７に下側から当接して、ハンマー部材１１の回転が規制されて停止される。このときには、ハンマー部材１１のガイド取付部３３ｃの円弧状の当接部４６が伝達部材１０の緩衝部材４５に弾力的に食い込んだ状態で圧接摺動し、連動突起部２８がガイド孔２９の前端上部に圧接する。
【００７６】
この場合には、連動突起部２８の緩衝部２８ｂがガイド孔２９の前端上部に弾力的に圧接するので、この連動突起部２８の緩衝部２８ｂの弾力によって、緩衝部材４５に対する当接部４６の食い込み力および摩擦力が軽減される。このため、当接部４６と緩衝部材４５との食い込みおよび摩擦による異音の発生が抑制される。
【００７７】
この後、鍵２が初期位置に戻る離鍵動作（復帰動作）を開始する際には、連動突起部２８がガイド孔２９に対して相対的に移動可能な状態で、伝達部材１０がその自重で時計回りに回転して初期位置に戻ると共に、ハンマー部材１１がその自重で反時計回りに回転して初期位置に戻る。これにより、鍵２が初期位置に戻り、連動制御部２７の連動突起部２８がガイド孔２９の前端上部に当接または接近した状態になる。
【００７８】
ところで、このような鍵盤装置１において、鍵２を軽い力（弱い力）で押鍵操作した場合には、鍵２がバランスピン４ａ、４ｂを中心に時計回りにゆっくり回転し、鍵２のキャプスタン２６が伝達部材１０をゆっくり押し上げる。これにより、伝達部材１０が伝達保持部材１２の伝達保持軸２１を中心に反時計回りにゆっくり回転する。このときには、伝達部材１０の緩衝部材４５がハンマー部材１１のガイド取付部３３ｃの当接部４６をゆっくり押し上げる。この場合には、連動制御部２７の連動突起部２８がガイド孔２９の前端上部に接近または当接した状態で上方にゆっくり移動する。
【００７９】
これにより、ハンマー部材１１がハンマー保持部材１３のハンマー保持軸３１を中心に時計回りにゆっくり回転して、鍵２にアクション荷重を付与する。そして、ハンマー部材１１のスイッチ押圧部３９がスイッチ基板４０に設けられたゴムスイッチ４２を押圧してスイッチ動作させ、ハンマー部材１１の後端上部が上限ストッパ３７に下側から当接して、ハンマー部材１１の回転が停止される。このときには、ハンマー部材１１のガイド取付部３３ｃの円弧状の当接部４６が伝達部材１０の緩衝部材４５に弾力的に食い込んだ状態でゆっくり圧接摺動し、連動突起部２８がガイド孔２９の前端上部にゆっくり圧接する。
【００８０】
この状態で、鍵２が初期位置に戻る離鍵動作（復帰動作）を開始すると、連動制御部２７の連動突起部２８がガイド孔２９の前端上部に当接または接近した状態で、伝達部材１０がその自重と緩衝部材４５に対する当接部４６の圧接による反力とで時計回りに回転して初期位置に戻ると共に、ハンマー部材１１がその自重と緩衝部材４５に対する当接部４６の圧接による反力とで反時計回りに回転して初期位置に戻り、鍵２を初期位置に戻す。
【００８１】
一方、このような鍵盤装置１において、鍵２を強い力で押鍵操作した場合には、鍵２がバランスピン４ａ、４ｂを中心に時計回りに速い速度で回転し、鍵２のキャプスタン２６が伝達部材１０を速い速度で押し上げる。これにより、伝達部材１０が伝達保持部材１２の伝達保持軸２１を中心に反時計回りに速い速度で回転する。このときには、伝達部材１０の緩衝部材４５がハンマー部材１１のガイド取付部３３ｃの当接部４６を速い速度で急激に押し上げる。
【００８２】
これにより、ハンマー部材１１がハンマー保持部材１３のハンマー保持軸３１を中心に時計回りに速い速度で急激に回転して、鍵２にアクション荷重を付与する。このとき、ハンマー部材１１の回転速度が伝達部材１０の回転速度よりも速い場合には、ハンマー部材１１のガイド取付部３３ｃの当接部４６が伝達部材１０の緩衝部材４５から上方に離れ、これに伴って連動制御部２７のガイド孔２９の前端上部が連動突起部２８から離れ、連動突起部２８がガイド孔２９内をその後端下部に向けて相対的に移動する。
【００８３】
そして、ハンマー部材１１のスイッチ押圧部３９がスイッチ基板４０に設けられたゴムスイッチ４２を急激に押圧してスイッチ動作させ、ハンマー部材１１の後端上部が上限ストッパ３７に下側から急激に当接する。このため、ハンマー部材１１は、その後端上部が上限ストッパ３７で撥ね返される。
【００８４】
このときには、図９に示すように、撥ね返されたハンマー部材１１がハンマー保持軸３１を中心に反時計回り方向に回転するため、ハンマー部材１１のガイド取付部３３ｃの当接部４６が伝達部材１０の緩衝部材４５に再び弾接すると共に、連動制御部２７の連動突起部２８がガイド孔２９の前端上部に向けて再び接近する。
【００８５】
この状態で、伝達部材１０が伝達保持部材１２の伝達保持軸２１を中心に反時計回りに回転し続けているため、伝達部材１０の緩衝部材４５にハンマー部材１１のガイド取付部３３ｃの当接部４６が食い込んだ状態で圧接し、連動制御部２７の連動突起部２８がガイド孔２９の前端上部に圧接する。これにより、ハンマー部材１１の撥ね返りが抑制される。
【００８６】
そして、鍵２が初期位置に戻る離鍵動作（復帰動作）を開始すると、連動制御部２７の連動突起部２８がガイド孔２９に沿って移動可能な状態でガイド孔２９の前端上部に接近または当接し、この状態で伝達部材１０がその自重と緩衝部材４５に対する当接部４６の圧接による反力とで時計回りに回転して初期位置に戻ると共に、ハンマー部材１１がその自重と緩衝部材４５に対する当接部４６の圧接による反力とで反時計回りに回転して初期位置に戻り、鍵２を初期位置に戻す。
【００８７】
また、この鍵盤装置１で１つの鍵２を続けて押鍵操作する所謂連打操作した場合には、一度、鍵２が押鍵操作され、ハンマー部材１１が押し上げられて上限位置に到達し、ハンマー部材１１、伝達部材１０、および鍵２が初期位置に戻る途中で、同じ鍵２が再び押鍵操作される。このときには、ハンマー部材１１のガイド取付部３３ｃの当接部４６が伝達部材１０の緩衝部材４５に接近または当接した状態で、連動制御部２７の連動突起部２８がガイド孔２９に沿って移動可能である。
【００８８】
このため、ハンマー部材１１の戻り方向への回転速度と、伝達部材１０の戻り方向への回転速度とが、同じ速度であっても、また異なる速度であっても、ハンマー部材１１および伝達部材１０がそれぞれ自重によって初期位置に向けて戻り動作し、これに伴って鍵２も初期位置に向けて戻り動作する。この鍵２の戻り動作の途中で鍵２が再び押鍵操作されると、初期位置への戻り途中の伝達部材１０が鍵２のキャプスタン２６によって再び押し上げられる。
【００８９】
すると、戻り途中の伝達部材１０が伝達保持軸１２を中心に再び反時計回りに回転する。このときには、伝達部材１０の緩衝部材４５がハンマー部材１１のガイド取付部３３ｃの当接部４６を再び押し上げるので、連動制御部２７の連動突起部２８がガイド孔２９に沿って移動してガイド孔２９の前端上部に接近または当接する。これにより、初期位置への戻り途中のハンマー部材１１がハンマー保持軸３１を中心に再び時計回りに回転して、鍵２にアクション荷重を付与して、ゴムスイッチ４２を押圧してスイッチ動作させる。
【００９０】
このため、１つの鍵２を連打操作する際に、連動制御部２７のガイド孔２９に対する連動突起部２８の相対的な移動によって、ハンマー部材１１の戻り動作および伝達部材１０の戻り動作を制御する。これにより、１つの鍵２を続けて押鍵する連打操作が良好にでき、連打性能の向上が図れる。
【００９１】
このように、この電子鍵盤楽器の鍵盤装置１によれば、並列に配列された複数の鍵２それぞれに対応して設けられ、これら複数の鍵２それぞれの押鍵操作に応じて回転動作する複数の伝達部材１０と、複数の鍵２それぞれに対応して設けられ、伝達部材１０の回転動作に応じて回転動作して鍵２にアクション荷重を付与する複数のハンマー部材１１と、伝達部材１０の回転動作に伴うハンマー部材１１の回転動作を、ハンマー部材１１に設けられたガイド孔２９に対する伝達部材１０の連動突起部２８の相対的な動作によって、制御する複数の連動制御部２７と、を備えているので、簡単な構造で、小型化を図り、かつハンマー部材１１の不必要な動作を抑制して、アコ―スティックピアノの鍵タッチ感に近似した鍵タッチ感を得ることができる。
【００９２】
すなわち、この電子鍵盤楽器の鍵盤装置１では、鍵２が押鍵操作されて伝達部材１０が回転動作すると、この伝達部材１０の回転動作に応じて連動制御部２７が動作すると共に、ハンマー部材１１が回転動作されて鍵２にアクション荷重を付与することができ、また連動制御部２７の連動突起部２８がガイド孔２９に沿って相対的に移動する動作によってハンマー部材１１の不自然で不必要な動作を制御することができる。
【００９３】
例えば、この連動制御部２７は、鍵２が弱い力で押鍵された際に、伝達部材１０の連動突起部２８がハンマー部材１１のガイド孔２９の前端上部に接近または当接した状態で、伝達部材１０がハンマー部材１１をゆっくり押し上げて回転させることができ、鍵２が初期位置に戻る際にも、連動突起部２８がガイド孔２９の前端上部に接近または当接した状態で、伝達部材１０およびハンマー部材１１をその各自重によって初期位置に戻すことができる。
【００９４】
また、この連動制御部２７は、鍵２が強い力で押鍵された際に、伝達部材１０の連動突起部２８がハンマー部材１１のガイド孔２９の前端上部に接近または当接した状態で、伝達部材１０がハンマー部材１１を勢いよく押し上げて回転させることができる。このときには、ハンマー部材１１がゴムスイッチ４２を押圧して上限ストッパ３７に勢いよく当接して撥ね返されると、連動突起部２８をガイド孔２９に沿って相対的にガイド孔２９の後端下部に向けて移動させてガイド孔２９の後端下部に当接または接近させることができる。
【００９５】
このため、この連動制御部２７は、ハンマー部材１１が伝達部材１０よりも早く初期位置に向けて回転するが、そのハンマー部材１１の回転動作をガイド孔２９に対する連動突起部２８の相対的な動作によって制御することができる。すなわち、連動突起部２８をガイド孔２９に沿って相対的に移動させることができるので、強打鍵時におけるハンマー部材１１の撥ね返りによるハンマー部材１１の不自然で不必要な動作を良好に抑制することができ、これにより鍵盤性能を向上させることができる。
【００９６】
さらに、この連動制御部２７は、１つの鍵２が連続して押鍵される連打操作の際に、連動制御部２７のガイド孔２９に対する連動突起部２８の相対的な移動によって、ハンマー部材１１の戻り動作および伝達部材１０の戻り動作を制御することができ、これにより１つの鍵２を続けて押鍵する連打操作を確実にかつ良好に行うことができるので、連打性能を向上させることができる。
【００９７】
このように、この鍵盤装置１では、連動制御部２７が、伝達部材１０に設けられた連動突起部２８と、ハンマー部材１１に設けられて連動突起部２８をガイドするガイド孔２９と、で構成されているので、連動制御部２７の構造が簡単であり、また連動制御部２７をコンパクトに設置することができるので、連動制御部２７の設置スペースを最小限に抑えることができ、これにより装置全体の小型化を図ることができると共に、連動制御部２７によってハンマー部材１１の不自然で不必要な動作を抑制することができるので、アコ―スティックピアノの鍵タッチ感に近似した鍵タッチ感を得ることができる。
【００９８】
この場合、連動制御部２７のガイド孔２９は、ハンマー部材１１の回転中心であるハンマー保持軸３１と連動突起部２８との相対的な距離の変位に応じた部位に形成された長孔であることにより、伝達部材１０の回転速度とハンマー部材１１の回転速度とが異なっている際に、連動突起部２８をガイド孔２９に沿って相対的に円滑にかつ良好に移動させることができ、これにより打鍵時におけるハンマー部材１１の動作を良好に制御することができるので、ハンマー部材１１の不自然で不必要な動作を抑制することができる。
【００９９】
このため、ハンマー部材１１が上限ストッパ３７に勢いよく当接して撥ね返されても、連動突起部２８をガイド孔２９に沿って相対的に移動させることができるので、ハンマー部材１１の不自然で不必要な動作を良好に抑制することができる。また、ハンマー部材１１が伝達部材１０よりも早く初期位置に向けて回転する際にも、連動突起部２８をガイド孔２９に沿って相対的に移動させることができるので、打鍵時におけるハンマー部材１１の動作を良好に制御することができる。
【０１００】
また、この連動制御部２７の連動突起部２８は、棒状の突起本体２８ａと、この突起本体２８ａの外周に設けられた緩衝部２８ｂと、を備えていることにより、連動突起部２８がガイド孔２９内を相対的に移動する際に、緩衝部２８ｂをガイド孔２９の内周面に弾力的に接触させて移動させることができると共に、連動突起部２８がガイド孔２９内の両端の一方に当接する際にも、緩衝部２８ｂをガイド孔２９内の両端の一方に弾力的に当接させることができるので、異音の発生を確実にかつ良好に防ぐことができる。
【０１０１】
この場合、緩衝部２８ｂは、ガイド孔２９のガイド縁部に沿って弾力的に摺動する摺動突起２８ｄを備えていることにより、連動突起部２８が設けられる伝達部材１０の支持部２２ｃと、ガイド孔２９が設けられるハンマー部材１１のガイド取付部３３ｃとの間に、摺動突起２８ｄを配置することができる。このため、伝達部材１０の支持部２２ｃとハンマー部材１１のガイド取付部３３ｃとが直接当接ことがないので、これによっても連動突起部２８がガイド孔２９内を相対的に移動する際に、異音の発生を確実にかつ良好に防ぐことができる。
【０１０２】
また、この連動突起部２８は、突起本体２８ａの先端外周にフック部２８ｃが設けられているので、このフック部２８ｃと伝達部材１０の支持部２２ｃとの間に緩衝部２８ｂを挟み付けた状態で突起本体２８ａの外周に確実にかつ良好に取り付けることができる。このため、ガイド孔２９内を連動突起部２８が相対的に移動する際に、緩衝部２８ｂが突起本体２８ａから抜け出さないようにすることができる。
【０１０３】
また、この鍵盤装置１では、複数の伝達部材１０それぞれに設けられた複数の緩衝部材４５と、複数のハンマー部材１１それぞれに設けられて複数の緩衝部材４５それぞれに弾接する複数の当接部４６と、を備えていることにより、鍵２の押鍵操作によって伝達部材１０が伝達保持軸２１を中心に回転した際に、この伝達部材１０の回転動作を伝達部材１０の緩衝部材４５とハンマー部材１１の当接部４６とによってハンマー部材１１に確実にかつ良好に伝達することができる。
【０１０４】
この場合、伝達部材１０の伝達本体部２２には、連動突起部２８が鍵２の配列方向に突出して取り付けられる支持部２２ｃが設けられており、ハンマー部材１１のハンマーアーム３３には、ガイド孔２９が設けられたガイド取付部３３ｃが伝達部材１０の支持部２２ｃに対面した状態で設けられていることにより、部品点数の増加を抑制して、連動制御部２７をコンパクトに設けることができると共に、この連動制御部２７に緩衝部材４５と当接部４６とをコンパクトに設けることができる。
【０１０５】
すなわち、この鍵盤装置１では、伝達部材１０の支持部２２ｃが伝達本体部２２の側部からハンマー部材１１に向けて突出して設けられ、緩衝部材４５が支持部２２ｃに取り付けられた連動突起部２８に対応する伝達本体部２２の上面に設けられ、ハンマー部材１１のガイド取付部３３ｃが伝達部材１０の緩衝部材４５に向けて突出した状態でハンマーアーム３３に設けられ、当接部４６が緩衝部材４５に弾接する状態でガイド取付部３３ｃに設けられていることにより、緩衝部材４５と当接部４６とを連動制御部２７にコンパクトに設けることができると共に、連動制御部２７による制動性能を向上させることができる。
【０１０６】
この場合、当接部４６は、緩衝部材４５に対応するハンマーアーム３３のガイド取付部３３ｃの下端部に円弧状に突出して設けられていることにより、当接部４６が緩衝部材４５に弾接した状態でハンマー部材１１がハンマー保持軸３１を中心に回転する際に、円弧状に突出した当接部４６を緩衝部材４５に沿って滑らかに摺動させることができると共に、当接部４６が緩衝部材４５に弾力的に食い込んだ状態でも、円弧状に突出した当接部４６を滑らかに摺動させることができ、これにより異音の発生を防ぐことができる。
【０１０７】
なお、上述した実施形態では、連動制御部２７の連動突起部２８を伝達部材１０に設け、ガイド孔２９をハンマー部材１１に設けた場合について述べたが、これに限らず、例えば連動突起部２８をハンマー部材１１のガイド取付部３３ｃに設け、ガイド孔２９を伝達部材１０の支持部２２ｃに設けた構成であっても良い。
【０１０８】
この場合には、鍵２が弱い力で押鍵された際に、伝達部材１０のガイド孔２９の後端下部にハンマー部材１１の連動突起部２８が接近または当接した状態で、伝達部材１０がハンマー部材１１をゆっくり押し上げて回転させることができ、また鍵２が初期位置に戻る際にも、連動突起部２８がガイド孔２９の後端下部に接近または当接した状態で、伝達部材１０およびハンマー部材１１をその各自重によって初期位置に戻すことができる。
【０１０９】
また、鍵２が強い力で押鍵された際には、伝達部材１０のガイド孔２９の後端下部がハンマー部材１１の連動突起部２８に接近または当接した状態で、伝達部材１０がハンマー部材１１を勢いよく押し上げるので、ハンマー部材１１を勢いよく回転させることができる。このときには、ハンマー部材１１が上限ストッパ３７に勢いよく当接して撥ね返されても、連動突起部２８をガイド孔２９に沿って移動させることができる。
【０１１０】
このため、この連動制御部２７においても、ハンマー部材１１が伝達部材１０よりも早く初期位置に向けて回転する際に、ハンマー部材１１の連動突起部２８を伝達部材１０のガイド孔２９の後端下部に向けて移動させることができるので、ハンマー部材１１の回転動作をガイド孔２９に対する連動突起部２８の相対的な動作によって制御することができる。これにより、上述した実施形態と同様、ハンマー部材１１の不自然で不必要な動作を抑制することができるので、アコ―スティックピアノの鍵タッチ感に近似した鍵タッチ感を得ることができる。
【０１１１】
さらに、１つの鍵２を連続して押鍵操作する連打操作の際にも、連動制御部２７のガイド孔２９に対する連動突起部２８の相対的な動作によって、ハンマー部材１１の戻り動作および伝達部材１０の戻り動作を制御することができ、これにより１つの鍵２を続けて押鍵する連打操作を確実にかつ良好に行うことができるので、連打性能を向上させることができる。
【０１１２】
また、上述した実施形態では、緩衝部材４５を伝達部材１０に設け、当接部４６をハンマー部材１１のガイド取付部３３ｃに設けた場合について述べたが、これに限らず、例えばハンマー部材１１のハンマーアーム３３に連結突起部２８が取り付けられる支持部を設け、このハンマー部材１１に緩衝部材を連結突起部２８に対応させて設け、伝達部材１０の伝達本体部２２に連結突起部２８が移動可能に挿入されるガイド孔２９を有する取付部を設け、この取付部に当接部を設けた構成であっても良い。
【０１１３】
なおまた、上述した実施形態では、連動制御部２７の連動突起部２８をガイドするガイド部が、ガイド孔２９である場合について述べたが、必ずしもガイド孔２９である必要はなく、ガイド壁を有するガイド溝部であっても良い。この場合にも、ガイド溝部は、連動突起部２８の相対的な動作軌跡に沿って長く形成されていれば良い。
【０１１４】
また、上述した実施形態およびその変形例では、連動制御部２７の連動突起部２８が伝達部材１０の支持部２２ｃまたはハンマー部材１１のガイド取付部３３ｃに片持ち梁状に設けられている場合について述べたが、これに限らず、例えば両端支持梁状に設けられていても良い。
【０１１５】
さらに、上述した実施形態では、伝達部材が回転動作する構成である場合について述べたが、これに限らず、例えば押鍵に伴って上下方向に変位する（移動する）ことにより、押鍵の力をハンマー部材１１に伝達する構造であっても良い。
【０１１６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１１７】
（付記）
請求項１に記載の発明は、並列に配列された複数の鍵と、これら複数の鍵それぞれに対応して設けられ、当該複数の鍵それぞれの押鍵操作に応じて変位する複数の伝達部材と、前記複数の鍵それぞれに対応して設けられ、押鍵操作された鍵に対応する前記伝達部材の変位に応じて回転動作することにより、前記押鍵操作されている鍵に対してアクション荷重を付与する複数のハンマー部材と、前記複数の伝達部材と前記複数のハンマー部材とのいずれか一方に設けられた連動突起部、およびその他方に設けられて前記連動突起部をガイドするガイド部を有し、前記押鍵操作された鍵に対応する前記伝達部材の変位に伴う前記ハンマー部材の回転動作を、前記ガイド部と前記連動突起部との相対的な動作によって制御する複数の連動制御部と、を備えていることを特徴とする鍵盤装置である。
【０１１８】
請求項２に記載の発明は、請求項１に記載の鍵盤装置において、前記連動突起部は前記複数の伝達部材それぞれに設けられ、前記ガイド部は前記複数のハンマー部材それぞれに設けられていることを特徴とする鍵盤装置である。
【０１１９】
請求項３に記載の発明は、請求項１に記載の鍵盤装置において、前記連動突起部は前記複数のハンマー部材それぞれに設けられ、前記ガイド部は前記複数の伝達部材それぞれに設けられていることを特徴とする鍵盤装置である。
【０１２０】
請求項４に記載の発明は、請求項１〜請求項３のいずれかに記載の鍵盤装置において、前記ガイド部は、前記ハンマー部材の回転中心であるハンマー保持軸と前記連動突起部との相対的な距離の変位に応じた部位に形成され、前記連動突起部と互いに係合するガイド孔が設けられたガイド取付部であることを特徴とする鍵盤装置である。
【０１２１】
請求項５に記載の発明は、請求項１〜請求項４のいずれかに記載の鍵盤装置において、前記連動突起部は、棒状の突起本体と、この突起本体の外周に設けられた緩衝部と、を備えていることを特徴とする鍵盤装置である。
【０１２２】
請求項６に記載の発明は、請求項５に記載の鍵盤装置において、前記緩衝部は、前記ガイド部のガイド縁部に沿って弾力的に摺動する摺動突起を備えていることを特徴とする鍵盤装置である。
【０１２３】
請求項７に記載の発明は、請求項１に記載の鍵盤装置において、前記連動制御部はさらに、前記複数の伝達部材と前記複数のハンマー部材とのいずれか一方でかつ、前記複数の伝達部材と前記複数のハンマー部材とのいずれか他方に当接する位置にそれぞれ設けられた複数の緩衝部材を備えていることを特徴とする鍵盤装置である。
【０１２４】
請求項８に記載の発明は、請求項７に記載の鍵盤装置において、前記緩衝部材と当接する位置には、円弧状の当接部が設けられていることを特徴とする鍵盤装置である。
【０１２５】
請求項９に記載の発明は、請求項１〜請求項８のいずれかに記載された鍵盤装置と、前記鍵盤装置の前記鍵の操作に応じて楽音を発生する音源部と、を備えていることを特徴とする鍵盤楽器である。
【符号の説明】
【０１２６】
１  鍵盤装置
２  鍵
３  アクション機構
１０  伝達部材
１１  ハンマー部材
１２  伝達保持部材
１３  ハンマー保持部材
２１  伝達保持軸
２２  伝達本体部
２２ｃ  支持部
２３  伝達嵌合部
２７  連動制御部
２８  連動突起部
２８ａ  突起本体
２８ｂ  緩衝部
２８ｃ  フック部
２８ｄ  摺動突起
２９  ガイド孔
３１  ハンマー保持軸
３２  ハンマー部
３３  ハンマーアーム
３３ｃ  ガイド取付部
３４  ハンマー嵌合部
４５  緩衝部材
４６  当接部
【図１】
0006520235.tif 000002
【図２】
0006520235.tif 000003
【図３】
0006520235.tif 000004
【図４】
0006520235.tif 000005
【図５】
0006520235.tif 000006
【図６】
0006520235.tif 000007
【図７】
0006520235.tif 000008
【図８】
0006520235.tif 000009
【図９】
0006520235.tif 000010